(57)【要約】【課題】内部に限らず外部の記録媒体に対しても、録画開始時刻に確実に記録を開始可能にする電子機器および映像記録プログラムを提供する。【解決手段】まず、予約した録画開始時刻Ｘ秒前、例えば３０秒前になると（Ｓ１１）、ＴＶビュワ１６０を起動し、記録媒体起動部１６２Ｂは外部記録媒体３にダミーファイルを作成する（Ｓ１２）。次に、ダミーファイルへダミーデータを書き込むことにより、実際に外部記録媒体３に書き込み動作が行われる（Ｓ１３）。次に、ダミーファイルを削除することで外部記録媒体３が記録可能な状態となる（Ｓ１４）。予約した録画の開始時刻になると（Ｓ１５）、録画予約部１６２Ａにより設定された項目に従って録画が実行される（Ｓ１６）。【選択図】図４
2008042732.tif 000002
【特許請求の範囲】
【請求項１】
記録先と録画開始時刻を指定して番組の録画を予約する録画予約部と、
前記録画開始時刻より所定の時間前に、前記番組を記録する外部に接続された前記記録先としての記録媒体にダミーファイルを作成し、前記記録媒体の前記ダミーファイルにダミーデータを書き込み、前記記録媒体より前記ダミーファイルを削除する記録媒体起動部とを有することを特徴とする電子機器。
【請求項２】
前記記録媒体起動部は、前記所定の時間として３０秒〜１０分を設定してダミーファイルの作成、書き込み、削除を行うことを特徴とする請求項１に記載の電子機器。
【請求項３】
前記記録媒体起動部は、前記記録先として電子機器に内蔵された記録媒体を用いることを特徴とする請求項１に記載の電子機器。
【請求項４】
記録先と録画開始時刻を指定して番組の録画を予約可能な録画予約部と、
前記録画開始時刻より所定の時間前に、前記番組を記録する外部に接続された前記記録先としての記録媒体に、初回アクセス時はダミーファイルを作成し、前記記録媒体の前記ダミーファイルにダミーデータを書き込み、２回目以降のアクセス時は前記ダミーファイルを読み込む記録媒体起動部とを有することを特徴とする電子機器。
【請求項５】
前記記録媒体起動部は、前記所定の時間として３０秒〜１０分を設定してダミーファイルの作成、書き込み、削除を行うことを特徴とする請求項４に記載の電子機器。
【請求項６】
前記記録媒体起動部は、前記記録先として電子機器に内蔵された記録媒体を用いることを特徴とする請求項４に記載の電子機器。
【請求項７】
コンピュータを、
記録先と録画開始時刻を指定して番組の録画を予約可能な録画予約手段と、
前記録画開始時刻より所定の時間前に、前記番組を記録する外部に接続された前記記録先としての記録媒体にダミーファイルを作成し、前記記録媒体の前記ダミーファイルにダミーデータを書き込み、前記記録媒体より前記ダミーファイルを削除する記録媒体起動手段として機能させることを特徴とする映像記録プログラム。
【発明の詳細な説明】
【技術分野】
【０００１】
本発明は、番組を記録可能な電子機器および映像記録プログラムに関し、特に内部に限らず外部の記録媒体に対しても、録画開始時刻に確実に記録を開始可能にする電子機器および映像記録プログラムに関する。
【背景技術】
【０００２】
従来の技術として、ハードディスクレコーダー等の電子機器において、ハードディスクの起動に要する時間を考慮して起動動作を実行し、録画開始時刻に確実に記録を開始可能にする電子機器がある（例えば、特許文献１参照）。
【０００３】
この電子機器によると、録画予約の開始時間から所定の時間だけ前に電子機器内に設置されたハードディスクを起動し、開始時間に確実に記録可能な状態とするための予約実行開始準備手段を有する。この電子機器は、予約実行開始準備手段を有するため、ハードディスクが省電力状態等で記録が不可能な状態にあるとき、事前に起動に要する時間より前に起動動作を実行して、記録可能な状態にすることで、録画開始時刻に確実に記録を開始できる。
【特許文献１】特開２００３−３３３５０１号公報
【発明の開示】
【発明が解決しようとする課題】
【０００４】
しかし、従来の電子機器によると、記録対象としているのは電子機器に内蔵されたハードディスク、および内蔵されたディスクドライブに挿入されたＤＶＤやＭＯ等のメディアであり、電子機器設計の際にそれらの記録媒体に応じた予約実行開始準備手段を決定することで確実に記録可能とすることができるが、外部に接続された記録媒体に対しては、同様の予約実行開始準備手段を実行したとしても、必ずしもその予約実行開始準備手段が外部に接続された記録媒体に適応できるとは限らない。
【０００５】
従って、本発明の目的は、内部に限らず外部の記録媒体に対しても、録画開始時刻に確実に記録を開始可能にする電子機器および映像記録プログラムを提供することにある。
【課題を解決するための手段】
【０００６】
（１）本発明は上記目的を達成するため、記録先と録画開始時刻を指定して番組の録画を予約する録画予約部と、前記録画開始時刻より所定の時間前に、前記番組を記録する外部に接続された前記記録先としての記録媒体にダミーファイルを作成し、前記記録媒体の前記ダミーファイルにダミーデータを書き込み、前記記録媒体より前記ダミーファイルを削除する記録媒体起動部とを有することを特徴とする電子機器を提供する。
【０００７】
このような構成によれば、録画開始時刻より所定の時間だけ早く、外部に接続された記録媒体に対しファイルの作成、書き込み、削除等の番組録画動作と同様の動作を行うことにより、記録媒体の起動方法に依らず確実に起動が可能で、録画開始時刻に確実に記録を開始可能とすることができる。
【０００８】
（２）また、本発明は上記目的を達成するため、記録先と録画開始時刻を指定して番組の録画を予約可能な録画予約部と、前記録画開始時刻より所定の時間前に、前記番組を記録する外部に接続された前記記録先としての記録媒体に、初回アクセス時はダミーファイルを作成し、前記記録媒体の前記ダミーファイルにダミーデータを書き込み、２回目以降のアクセス時は前記ダミーファイルを読み込む記録媒体起動部とを有することを特徴とする電子機器を提供する。
【０００９】
このような構成によれば、録画開始時刻より所定の時間だけ早く、外部に接続された記録媒体に対しファイルの読み込み動作を行うことにより、記録媒体の起動方法に依らず確実に起動が可能で、録画開始時刻に確実に記録を開始可能とすることができる。
【００１０】
（３）また、本発明は上記目的を達成するため、コンピュータを、記録先と録画開始時刻を指定して番組の録画を予約可能な録画予約手段と、前記録画開始時刻より所定の時間前に、前記番組を記録する外部に接続された前記記録先としての記録媒体にダミーファイルを作成し、前記記録媒体の前記ダミーファイルにダミーデータを書き込み、前記記録媒体より前記ダミーファイルを削除する記録媒体起動手段として機能させることを特徴とする映像記録プログラムを提供する。
【００１１】
このような方法によれば、（１）の効果を有する映像記録プログラムが可能となる。
【発明の効果】
【００１２】
本発明によれば、外部の記録媒体に対しても、録画予約の開始時刻に確実に記録可能な状態に準備できる。
【発明を実施するための最良の形態】
【００１３】
以下に、本発明の電子機器および映像記録プログラムの実施の形態を、図面を参照して詳細に説明する。
【００１４】
〔第１の実施の形態〕
（電子機器の構成）
図１は、本発明の第１の実施の形態に関する電子機器としてのＰＣの斜視図である。
【００１５】
このＰＣ１は、本体部２０と可動部２１から構成され、ヒンジ部２１１により開閉自在に接続されている。本体部２０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するための文字入力部１４０と、ポインティングデバイスとしてのタッチパッド１４１および決定スイッチ１４２とを有する。可動部２１は、文字や画像等を表示する表示部１２を有する。
【００１６】
外部記録媒体３は、ハードディスク等の磁気記録媒体であり、ＵＳＢ（Ｕｎｉｖｅｒｓａｌ  Ｓｅｒｉａｌ  Ｂｕｓ）ケーブル４によってＰＣ１の図示しないＵＳＢインターフェイスと接続されており、ＰＣ１からアクセスしてデータの記録および削除が可能である。
【００１７】
図２は、本発明の第１の実施の形態に関するＰＣの概略構成図である。
【００１８】
このＰＣ１は、情報処理の際に一時的に情報を記憶するメモリ１０と、外部より放送波を受信してチューニング可能なチューナ部１１と、文字や画像を表示する表示部１２と、表示部１２の表示に関する制御を行う表示制御部１２Ａと、音声情報を出力する音声出力部１３と、ＰＣ１を操作可能で図１に示す文字入力部１４０とタッチパッド１４１と決定スイッチ１４２とを含む操作部１４と、情報を磁気情報として記憶する記録部１５と、ＰＣ１の各部を統括し、動作させる制御部１６と、外部機器を接続可能なインターフェイス（Ｉ／Ｆ）部１７を有する。
【００１９】
記憶部１５は、複数の情報とともに番組の録画予約に関する情報、例えば開始時刻、録画時間、放送チャンネル、録画品質等から構成される録画予約情報１５０を有する。
【００２０】
制御部１６は、チューナ部１１によって受信したデジタル放送波をデコードして表示するとともに記録部１５に記録可能で、記録部１５に保存された映像コンテンツを再生できる映像記録プログラムとしてのＴＶビュワ１６０をアプリケーションとして動作させることが可能である。なお、この他に複数のアプリケーションを動作可能としてもよい。
【００２１】
インターフェイス部１７にはＵＳＢケーブル４を介して外部記録媒体３が接続されており、外部記録媒体３はＰＣ１により制御可能となる。
【００２２】
図３は、本発明の第１の実施の形態に関するＴＶビュワの概略構成図である。
【００２３】
ＴＶビュワ１６０は、アプリケーションの表示を行うＧＵＩ（Ｇｒａｐｈｉｃ  Ｕｓｅｒ  Ｉｎｔｅｒｆａｃｅ）の処理をするＧＵＩ処理１６１と、ＧＵＩ処理１６１とストリーム処理１６３とを統括するアプリケーション制御用処理１６２と、映像信号をデコードするストリーム処理１６３とを有する。
【００２４】
アプリケーション制御用処理１６２は、開始時刻、録画時間、放送チャンネル、録画品質等を設定して番組の録画を予約できる録画予約部１６２Ａと、録画データを記録する記録媒体を起動状態にする記録媒体起動部１６２Ｂとを有する。
【００２５】
ストリーム処理１６３は、デコードが可能で、信号を受信する信号入力１６３Ｃと、映像信号を処理する映像処理１６３Ａと、音声信号を処理する音声処理１６３Ｂと、信号を出力する信号出力１６３Ｄとを有する。デコード時には、信号入力１６３Ｃがチューナ部１１および外部記録媒体３から映像信号を受信し、映像処理１６３Ａが映像信号の映像成分を、音声処理１６３Ｂが映像信号の音声成分を処理すると、信号出力１６３Ｄは処理された映像信号を表示部１２と音声出力部１３に出力する。
【００２６】
（第１の動作）
以下に、本発明の第１の実施の形態におけるＰＣの動作を図１から図４を参照しつつ説明する。
【００２７】
各操作は操作部１４において行われ、各処理は制御部１６において実行される。制御部１６において処理が実行される際、メモリ１０は一時的にデータを記録することで処理を補助する。チューナ部１１は、外部よりデジタル放送波を受信し、受信した映像信号は、制御部１６によりデコードされ、表示制御部１２Ａにより表示部１２に表示される。また、映像信号の音声は音声出力部１３から出力される。録画時は、デジタル放送の映像信号は外部記録媒体３に保存される。
【００２８】
ＴＶビュワ１６０は、操作部１４により起動が可能で、開始時刻、録画時間、放送チャンネル、録画品質等を録画予約情報１５０として入力あるいは選択することで録画予約部１６２Ａによって番組の録画予約処理を実行することができる。録画予約処理実行後にＴＶビュワ１６０を終了しても、録画開始時刻前になると、自動でＴＶビュワ１６０が起動される仕組みとなっている。
【００２９】
図４は、本発明の第１の実施の形態に関するＰＣの動作を示すフローチャートである。
【００３０】
まず、予約した録画開始時刻Ｘ秒前、例えば３０秒前になると（Ｓ１１）、ＴＶビュワ１６０を起動し、記録媒体起動部１６２Ｂは外部記録媒体３にダミーファイルを作成する（Ｓ１２）。次に、ダミーファイルへダミーデータを書き込むことにより、実際に外部記録媒体３に書き込み動作が行われる（Ｓ１３）。次に、ダミーファイルを削除することで外部記録媒体３が記録可能な状態となる（Ｓ１４）。予約した録画の開始時刻になると（Ｓ１５）、録画予約部１６２Ａにより設定された項目に従って録画が実行される（Ｓ１６）。
【００３１】
Ｓ１２〜Ｓ１４の動作は、実際に以下のような手順で行われる。まず、外部記録媒体３にダミーファイルとしてテンポラリファイルの作成を行い、ファイルハンドルを取得する。この時、ファイルのハンドルが閉じられたら自動的にファイルを削除するフラグと、キャッシュに書き込まれたデータを直接外部記録媒体３に書き込むフラグとをつけてテンポラリファイルを作成する。次に、ファイルハンドルを取得できたら、ダミーデータとして、すぐに適当な１０２４Ｂｙｔｅのデータを書き込む。次に、ファイルのハンドルを閉じることでテンポラリファイルを削除する。
【００３２】
（第１の実施の形態の効果）
上記した本発明の第１の実施の形態によると、記録対象の記録媒体の記録準備動作として、ダミーファイルの作成、書き込み、削除等の基本動作を用いたため、記録媒体特有の起動動作を把握してなくとも、記録媒体を記録可能な状態にすることができる。そのため、外部の記録媒体においても準備動作が可能となる。
【００３３】
また、上記の効果により、録画予約の開始時刻に確実に記録可能な状態に準備できる。
【００３４】
また、番組の録画と同様の動作である、ファイル作成および書き込みを行うことにより記録媒体の確実な起動が可能となる。
【００３５】
なお、外部記録媒体３は、ファイルの作成、書き込み、削除が可能な記録媒体であればＭＯ、フラッシュメモリ、ＣＤ−ＲＷ、ＤＶＤ−ＲＷ等を使用可能で、ハードディスクに限定されない。
【００３６】
なお、外部記録媒体３に限らず、内部の記録部１５に同様の処理を実行することで同様の効果を得られる。
【００３７】
なお、電子機器としてＰＣの他に、携帯型の電子機器やＴＶ、ビデオ等、映像を表示する電子機器であれば同様の効果を得られる。
【００３８】
〔第２の実施の形態〕
（動作）
以下に、本発明の第２の実施の形態における電子機器および映像記録プログラムの動作を図５および各図を参照しつつ説明する。
【００３９】
図５は、本発明の第２の実施の形態に関するＰＣの動作を示すフローチャートである。なお、以下の説明において、第１の実施の形態と同一の構成および機能を有する部分については共通の符号を付している。
【００４０】
まず、予約した録画開始時刻Ｘ秒前、例えば３０秒前になると（Ｓ１１）、ＴＶビュワ１６０を起動し、外部記録媒体３に既にダミーファイルが存在するか確認する（Ｓ２１）。
【００４１】
ダミーファイルが存在しない場合（Ｓ２１；Ｎｏ）、記録媒体起動部１６２Ｂは、外部記録媒体３にダミーファイルを作成する（Ｓ１２）。次に、ダミーファイルへダミーデータを書き込むことにより、実際に外部記録媒体３に書き込み動作が行われ、外部記録媒体３が記録可能な状態となる（Ｓ１３）。
【００４２】
ダミーファイルが存在する場合（Ｓ２１；Ｙｅｓ）、記録媒体起動部１６２Ｂは、外部記録媒体３のダミーファイルを読み込むことで、実際に外部記録媒体３を動作させ、外部記録媒体３が記録可能な状態となる（Ｓ２２）。
【００４３】
次に、予約した録画の開始時刻になると（Ｓ１５）、録画予約部１６２Ａにより設定された項目に従って録画が実行される（Ｓ１６）。
【００４４】
（第２の実施の形態の効果）
上記した本発明の第２の実施の形態によると、ダミーファイルの読み込み動作を行うことにより、第１の実施の形態と同様の効果を得ることができる。
【図面の簡単な説明】
【００４５】
【図１】本発明の第１の実施の形態に関する電子機器としてのＰＣの斜視図である。
【図２】本発明の第１の実施の形態に関するＰＣの概略構成図である。
【図３】本発明の第１の実施の形態に関するＴＶビュワの概略構成図である。
【図４】本発明の第１の実施の形態に関するＰＣの動作を示すフローチャートである。
【図５】本発明の第２の実施の形態に関するＰＣの動作を示すフローチャートである。
【符号の説明】
【００４６】
１…ＰＣ（パーソナルコンピュータ）、３…外部記録媒体、４…ＵＳＢケーブル、１０…メモリ、１１…チューナ部、１２Ａ…表示制御部、１２…表示部、１３…音声出力部、１４…操作部、１５…記録部、１６…制御部、１７…インターフェイス（Ｉ／Ｆ）部、２０…本体部、２１…可動部、１４０…文字入力部、１４１…タッチパッド、１４２…決定スイッチ、１６０Ｃ…ストリーム処理、１６０…ＴＶビュワ、１６１…ＧＵＩ処理、１６２…アプリケーション制御用処理、１６２Ａ…録画予約部、１６２Ｂ…記録媒体起動部、１６３…ストリーム処理、１６３Ａ…映像処理、１６３Ｂ…音声処理、１６３Ｃ…信号入力、１６３Ｄ…信号出力、２１１…ヒンジ部
【図１】
2008042732.tif 000003
【図２】
2008042732.tif 000004
【図３】
2008042732.tif 000005
【図４】
2008042732.tif 000006
【図５】
2008042732.tif 000007